(57)【要約】【課題】携帯通信端末との連携により、車載機器において外部サーバからのコンテンツのサービスを受けるシステムにあって、車両走行中にユーザが煩雑な操作をすることなく、所望のコンテンツを取得することができ、しかも見やすい表示を可能にする。【解決手段】ユーザは、スマートフォン３を操作してコンテンツの提供を受けたいウェブサイトを予め登録する。ナビゲーション装置２の操作により、登録されたウェブサイトのコンテンツを、スマートフォン３及び中間サーバ４を介して外部サーバ５から取得する。スマートフォン３は取得した各コンテンツの見出し情報を抽出して記事一覧データを作成し、ナビゲーション装置２の表示装置７に表示させる。ユーザは、記事一覧から見たいニュースコンテンツを選択する。選択された見出しのニュースコンテンツが、整形された上で表示装置７に表示される。【選択図】図１
2014085798.tif 000002
【特許請求の範囲】
【請求項１】
表示部（７）及び操作部（１２）を有し車両に設けられた車載機器（２）と、外部ネットワークとの接続機能を有し車両内に持込まれた携帯通信端末（３）とを接続し、相互に連携するアプリケーションを実行することにより、前記携帯通信端末（３）が外部サーバ（５）から提供を受けるサービスのコンテンツを、該携帯通信端末（３）を介して該車載機器（２）から出力することを可能とした車両用コンテンツ提供システム（１）において、
前記携帯通信端末（３）の操作により、前記外部サーバ（４）からコンテンツの提供を受けたいウェブサイトを予め設定登録する登録手段（１３）と、
前記登録手段（１３）により登録されたウェブサイトのコンテンツを取得するコンテンツ取得手段（１３）と、
取得した各コンテンツの見出し情報を抽出し記事一覧データを作成する一覧データ作成手段（１３）と、
前記記事一覧データを前記車載機器（２）の表示部（７）に表示させる一覧データ表示手段（６）と、
前記操作部（１２）の選択操作により前記記事一覧データのうちいずれかの見出しが選択された際に、その選択された見出しのコンテンツを整形して該表示部（７）に表示する整形手段（６）とを備えることを特徴とする車両用コンテンツ提供システム。
【請求項２】
前記車載機器は、音声出力手段（８）を備えており、選択されたコンテンツの本文を音声読み上げにより出力することが可能に構成されていることを特徴とする請求項１記載の車両用コンテンツ提供システム。
【請求項３】
前記外部サーバからのコンテンツを、前記携帯通信端末或いは車載機器にて利用可能なデータ形式に変換して該携帯通信端末に送信する中間サーバ（４）を備えており、
前記一覧データ作成手段は、前記中間サーバ（４）に設けられることを特徴とする請求項１又は２に記載の車両用コンテンツ提供システム。
【請求項４】
前記コンテンツ取得手段は、登録されたウェブサイトに関して更新されたコンテンツを取得し、
前記一覧データ作成手段は、更新されたコンテンツに関する記事一覧データを作成することを特徴とする請求項１ないし３のいずれか一項に記載の車両用コンテンツ提供システム。
【請求項５】
前記一覧データ作成手段は、更新されたコンテンツのうち最新のものから順に記事一覧データを作成することを特徴とする請求項１ないし４のいずれか一項に記載の車両用コンテンツ提供システム。
【請求項６】
前記記事一覧データにおける見出しの個数は、前記表示部の一画面に収まる範囲の個数に制限されることを特徴とする請求項１ないし５のいずれか一項に記載の車両用コンテンツ提供システム。
【請求項７】
前記整形手段は、コンテンツデータから、見出し、本文、画像のデータを残して、それ以外の不要部を削除することを特徴とする請求項１ないし６のいずれか一項に記載の車両用コンテンツ提供システム。
【請求項８】
前記整形手段は、コンテンツに画像データが含まれる場合には、その画像データを前記表示部の所定エリアに収まるように加工することを特徴とする請求項１ないし７のいずれか一項に記載の車両用コンテンツ提供システム。
【発明の詳細な説明】
【技術分野】
【０００１】
本発明は、外部サーバから携帯通信端末に提供されるコンテンツを車載機器で利用可能とする車両用コンテンツ提供システムに関する。
【背景技術】
【０００２】
近年、ユーザが所持する携帯通信端末で利用可能なサービスを、ナビゲーション装置等の車載機器においても利用可能とするシステムが考えられている。例えば特許文献１では、車載表示装置（ナビゲーション装置）と、携帯電話とをＢｌｕｅｔｏｏｔｈ（登録商標）により接続し、携帯電話が外部サーバから取得したナビゲーション用の地図データを、車載表示装置に送信して地図画面を表示させるシステムが開示されている。このとき、通信トラフィックを予測して、画面転送による表示方法を変更するようになっている。
【０００３】
また、例えば特許文献２では、インターネット等を経由して様々なアプリケーションをダウンロード可能なスマートフォン等の携帯端末と、ＡＶ機器やナビゲーション機器などの車載機器とを有線又は無線にて接続し、車載機器にて、携帯端末の様々なアプリケーションを利用可能とすることが考えられている。このシステムによれば、スマートフォンにおいて、例えばニュース配信サービスのアプリの実行が可能であれば、そのサービスをカーナビでも利用することが可能となる。
【先行技術文献】
【特許文献】
【０００４】
【特許文献１】特開２０１０−２６１０４号公報
【特許文献２】特開２０１２−１５１６５９号公報
【発明の概要】
【発明が解決しようとする課題】
【０００５】
しかしながら、上記した従来のシステムでは、ユーザが、複数存在するニュースサイトのうち閲覧したいウェブページ（コンテンツ）の設定や選択を、ナビ画面上で行う構成のため、車両の走行中は操作できず、ユーザが見たい時にすぐに利用することができるものとはなっていなかった。また、ユーザの所望するコンテンツが表示されるまでに、ナビ画面（操作部）を複数回にわたって操作しなければならない等、操作が煩雑になる傾向がある。更には、スマートフォンの画面と同様の画面をナビ画面に表示する場合、表示文字が小さかったり、画面をスクロールさせる必要があったりし、ドライバにとって画面が見づらくなる虞があった。
【０００６】
本発明は上記事情に鑑みてなされたものであり、その目的は、携帯通信端末との連携により、車載機器において外部サーバからのコンテンツのサービスを受けることを可能としたシステムにあって、車両走行中にユーザが煩雑な操作をすることなく、所望のコンテンツを取得することができ、しかも見やすい表示が可能な車両用コンテンツ提供システムを提供するにある。
【課題を解決するための手段】
【０００７】
上記目的を達成するために、本発明の請求項１の車両用コンテンツ提供システムは、携帯通信端末との連携により、車載機器において外部サーバからのコンテンツのサービスを受けることを可能としたシステムにあって、携帯通信端末の操作により、外部サーバからコンテンツの提供を受けたいウェブサイトを予め設定登録する登録手段と、登録手段により登録されたウェブサイトのコンテンツを取得するコンテンツ取得手段と、取得した各コンテンツの見出し情報を抽出し記事一覧データを作成する一覧データ作成手段と、記事一覧データを車載機器の表示部に表示させる一覧データ表示手段と、操作部の選択操作により記事一覧データのうちいずれかの見出しが選択された際に、その選択された見出しのコンテンツを整形して該表示部に表示する整形手段とを備えるところに特徴を有する。
【０００８】
これによれば、携帯通信端末の操作に基づき、登録手段により、外部サーバからコンテンツの提供を受けたいウェブサイトを設定登録することができる。この場合、車載機器を操作するのではなく、携帯通信端末の操作により、走行中でない時期に、ユーザが予め設定登録しておくことができる。
【０００９】
そして、登録手段により登録されたウェブサイトのコンテンツが、コンテンツ取得手段によって取得されると、一覧データ作成手段により、取得した各コンテンツの見出し情報が抽出され、記事一覧データが作成される。この後、作成された記事一覧データが、一覧データ表示手段によって車載機器の表示部に表示され、記事一覧データのうちいずれかの見出しが操作部の選択操作により選択された際に、整形手段により、その選択された見出しのコンテンツが整形された上で、表示部に表示されるようになる。
【００１０】
従って、ユーザは、コンテンツの記事一覧のデータを見て、見たいコンテンツを選択することができ、その操作に基づいて、選択されたコンテンツが整形手段により整形された上で、表示部に表示されるようになる。見たいコンテンツを選択する操作は、記事一覧データからの選択という簡単なものとなり、しかも、携帯通信端末で出力するコンテンツそのままでなく、コンテンツが整形されることによって、ユーザにとって見やすい表示が可能となる。
【図面の簡単な説明】
【００１１】
【図１】本発明の一実施例を示すもので、システムの全体構成を概略的に示す図
【図２】ナビゲーション装置の電気的構成を概略的に示すブロック図
【図３】スマートフォンの電気的構成を概略的に示すブロック図
【図４】ナビゲーション装置における連携アプリケーション実行時の処理全体の大まかな流れを示すフローチャート
【図５】ナビゲーション装置の表示装置のメニュー画面（ａ）及びホーム画面（ｂ）の例、並びにスマートフォンの表示装置のトップ画面（ｃ）の例を示す図
【図６】システムにおける通信シーケンスを示す図
【図７】ナビゲーション装置の表示装置における、記事一覧の表示画面（ａ）並びに、整形されたニュースコンテンツの表示画面（ｂ）、（ｃ）の例を示す図
【図８】設定登録時のスマートフォンの表示装置の画面の遷移の例を示す図
【発明を実施するための形態】
【００１２】
以下、本発明の一実施例について、図面を参照しながら説明する。尚、本実施例では、車載機器として、車室内に固定的（あるいは持運び可能）に設けられるナビゲーション装置（ナビゲーションユニット）を例とし、また、携帯通信端末として、スマートフォンを具体例として挙げながら説明する。さらに、本実施例では、コンテンツとしてのニュース配信サービスを受ける場合を具体例として説明する。
【００１３】
図１は、本実施例に係る車両用コンテンツ提供システム１の全体構成を概略的に示している。このシステム１は、車両（自動車）内に設けられる車載機器としてのナビゲーション装置２、車両の乗員が所持する携帯通信端末としてのスマートフォン３、中間サーバ４、外部サーバ５等を備えて構成されている。前記スマートフォン３、中間サーバ４、外部サーバ５は、外部ネットワークたるインターネットにより相互に通信可能に接続されている。また、前記ナビゲーション装置２と車両内に持込まれたスマートフォン３との間は、例えば、Ｂｌｕｅｔｏｏｔｈ（登録商標）方式の無線通信により接続される。尚、ナビゲーション装置２とスマートフォン３との間の接続は、Ｂｌｕｅｔｏｏｔｈ方式に限らず、無線ＬＡＮ（ＷｉＦｉ）や、有線（ＵＳＢ、ＨＤＭＩ等）を用いても良い。
【００１４】
本実施例では、ナビゲーション装置２とスマートフォン３との連携によって、スマートフォンの外部から提供を受けることができるサービスのコンテンツを、ナビゲーション装置２の操作により利用することができるようになっている。このとき、ナビゲーション装置２には、スマートフォン３との連携を行うための連携アプリケーション（例えば「ＡＲＰＥＧＧｉＯ（アルペジオ）」（登録商標）サービス）が予めインストールされており、利用可能とされる。また、スマートフォン３のユーザが、連携アプリケーションをインストールしておくことにより、ナビゲーション装置２において、当該スマートフォン３と無線接続され、そのスマートフォン３のアプリのうちいくつかの使用が可能となるサービスを利用できる。
【００１５】
具体的には、外部サーバ５により提供されるコンテンツとして、ＰＯＩ（目的地）検索サービス、ニュース配信サービス、ＳＮＳサービス、音楽ストリーミングサービス等を利用することができる。本実施例では、上記した各種のサービスのうち、ニュース配信サービスを対象としている。これらのコンテンツは、複数のコンテンツプロバイダにより提供されている。つまり、図１に示すように、ニュース配信サービスは、例えばプロバイダＡＡＡ、プロバイダＢＢＢ、プロバイダＣＣＣなど複数のコンテンツプロバイダにより提供される。
【００１６】
このとき、コンテンツプロバイダは、パソコン用或いはスマートフォン３用にコンテンツデータを作っているので、ナビゲーション装置２で利用するためには、中間サーバ４により、ナビゲーション装置２用にコンテンツデータの形式の変換などが行われる。尚、音楽ストリーミングサービスについては、データ形式の変換の必要がないため、外部サーバ５からスマートフォン３が直接受信することができる。
【００１７】
前記ナビゲーション装置２は、図２に示すように、制御装置６と、その制御装置６に接続された、表示部としての表示装置７、音声出力手段たる音声出力装置８、車両情報取得部９、接続装置１０、記憶部１１等を備えている。そのうち制御装置６は、ＣＰＵ、ＲＯＭおよびＲＡＭなどを有するマイクロコンピュータを主体として構成されており、ＲＯＭなどに記憶されているプログラムにしたがってナビゲーション装置置２の全体を制御する。また、上記したように、制御装置６は、スマートフォン３と連携して作動する連携アプリケーションの実行が可能とされている。
【００１８】
前記表示装置７は、例えばカラー表示可能な液晶表示器や有機ＥＬ表示器あるいはプラズマディスプレイなどにより構成され、例えば車室内のインストルメントパネルの中央部に設けられている。この表示装置７の画面には、例えば、メニュー画面（図５（ａ）参照）や連携アプリケーションの実行画面（図５（ｂ）、図７参照）、ナビゲーション機能使用時の地図画面（図示せず）などが表示される。また、この表示装置７は、操作部たる操作スイッチ部１２を含んで構成されている。図１に示すように、この操作スイッチ部１２は、表示装置７の画面上に設けられたタッチパネル１２ａ、及び、表示装置７の周囲に配置されたメカ式のスイッチ１２ｂを含んで構成されている。
【００１９】
前記音声出力装置８は、スピーカ等を含んで構成され、楽曲やガイド音声などの出力を行う。このとき、本実施例では、音声出力装置８により、配信されたコンテンツ（ニュースの本文）の音声読上げを行うことが可能とされている。前記車両情報取得部９は、図示しないＥＣＵや、ＧＰＳユニット等からなる自車位置検出部に接続され、車両の走行状況や自車位置等の必要な車両情報を取得することが可能とされている。前記接続装置１０は、上記したように、Ｂｌｕｅｔｏｏｔｈ（登録商標：以下「ＢＴ」と略す）による無線通信方式により、スマートフォン３との間で通信を行うものであり、例えばデータ通信用のプロファイル１０ａ（ＢＴの場合、ＳＰＰやＤＵＮなどが対応する）を有している。
【００２０】
前記記憶部１１は、ナビゲーション装置２で実行される各種のアプリケーションや、ナビゲーション機能に用いる地図データ等を記憶している。これにて、ナビゲーション装置２（制御装置６）は、周知のように、自車位置を道路地図と共に表示装置７の画面に表示するロケーション機能や、ユーザが指定した目的地までの適切なルートを探索し、案内するルートガイダンス機能などのナビゲーション処理を実行する。
【００２１】
一方、前記スマートフォン３は、手持ち操作可能な矩形パネル状の本体内に、図３に示すように、制御装置１３と、その制御装置１３に接続された、表示装置１４、操作スイッチ１５、音声入出力装置１６、通信装置１７、記憶部１８、接続装置１９等を備えている。制御装置１３は、図示しないＣＰＵ、ＲＯＭおよびＲＡＭなどを有するマイクロコンピュータを主体に構成されており、ＲＯＭ等に記憶されているプログラムに従ってスマートフォン３の全体を制御する。また、上記のように、制御装置１３は、ナビゲーション装置２と連携して作動する連携アプリケーションの実行が可能である。
【００２２】
前記表示装置１４は、例えばカラー表示可能な液晶表示器や有機ＥＬ表示器などにより構成され、その画面には、例えば電話帳データや例えば記憶部１８に記憶されている画像や映像などが表示される。前記操作スイッチ１５は、表示装置１４の画面上に設けられているタッチパネル１５ａ、及び、表示装置１４の周囲に配置されたメカスイッチ１５ｂなどにより構成されている。尚、前記タッチパネル１５ａとしては、例えば感圧方式、電磁誘導方式あるいは静電誘導方式など、任意の方式のものを採用することができる。
【００２３】
前記音声入出力部１６は、図示しないマイクおよびスピーカを有しており、通話時の発話音声の入力および受話音声の出力を行う。また、音声入出力部１６は、例えば記憶部１８に記憶されている楽曲や映像の音声などの出力なども行う。前記通信装置１７は、公衆回線網やネットワークへ接続する広域通信を行う。通信装置１７は、通話やネットワークとの間のデータの送受信などを行う。前記記憶部１８は、電話帳データや楽曲などを記憶しているとともに、スマートフォン３にて実行される各種のアプリケーションやユーザが保存したデータなどが記憶されている。
【００２４】
前記接続装置１９は、ナビゲーション装置２との間で通信を行う。本実施例では、上記したようにＢＴによる無線通信方式を採用しており、スマートフォン３は、ナビゲーション装置２とＢＴ接続される。接続装置１９は、ナビゲーション装置２と同様にデータ通信用のプロファイル１９ａ（ＳＰＰやＤＵＮなど）を有しており、それらのプロファイルを用いて車両用装置２と接続する。尚、データ通信用のプロファイルに限らず、例えばハンズフリー通話用のプロファイル（ＢＴの場合、ＨＦＰ）などを有していても良い。
【００２５】
さて、本実施例では、上記したように、連携アプリケーションを実行することによって、ナビゲーション装置２にて、スマートフォン３のアプリのうちのいくつかを実行することが可能となる。具体的には、例えばニュース配信サービスを利用することにより、外部サーバ５から中間サーバ４を介してニュースコンテンツの配信を受け、表示装置７に表示させることができる。
【００２６】
このとき、詳しくは次の作用説明で述べるように、ニュース配信サービスを利用するにあたっては、スマートフォン３のユーザは、該スマートフォン３を操作することにより、外部サーバ５からコンテンツの提供を受けたいウェブサイト（ニュースサイト）を予め設定登録しておく。登録するウェブサイトは、一般に複数となるが、１つでも良い。従って、スマートフォン３（制御装置１３）が登録手段としての機能を備える。
【００２７】
この後、連携アプリケーションの実行時に、ナビゲーション装置２の操作スイッチ部１２の操作によりニュース配信サービスの指示がなされたときに、スマートフォン３は、上記登録されたウェブサイトのニュースコンテンツを取得するように中間サーバ４に対して指示を送信する。すると、中間サーバ４は、外部サーバ５から該当する各ウェブサイトのニュースコンテンツを取得し、そのニュースコンテンツをナビゲーション装置２用にデータ形式の変換などを行い、スマートフォン３に送信する。従って、スマートフォン３（制御装置１３）及び中間サーバ４がコンテンツ取得手段として機能する。
【００２８】
さらに、スマートフォン３（制御装置１３）は、中間サーバ４からニュースコンテンツを取得すると、取得した各コンテンツの見出し情報を抽出し記事一覧データを作成する一覧データ作成手段として機能する。得られたニュースコンテンツは、作成された記事一覧データと共に、ナビゲーション装置２に送られる。ナビゲーション装置２の制御装置６は、その記事一覧データを表示装置７に表示させる。
【００２９】
そして、ユーザ（乗員）が操作スイッチ部１２の選択操作により記事一覧データのうちいずれかの見出しを選択すると、ナビゲーション装置２の制御装置６は、選択された見出しのコンテンツを整形して表示装置７に表示させる。従って、ナビゲーション装置２（制御装置６）が、一覧データ表示手段、及び、整形手段として機能する。
【００３０】
次に、上記構成の作用について、図４〜図８も参照して説明する。まず、図８を参照しながら、スマートフォン３の操作により、コンテンツの提供を受けたいウェブサイト（ニュースサイト）を設定登録する手順について述べる。ユーザが、スマートフォン３を操作して連携アプリケーションを起動させると、表示装置１４の画面は、図５（ｃ）に示すトップ画面となる。このトップ画面には、サービス（アプリケーション）Ａ〜Ｉに夫々対応したアイコンＩが表示される。
【００３１】
ここでは、そのうち「サービスＨ」が、ウェブ上のニュースサイトのフィード（更新情報）をチェックするアプリ（サービス）であるとする。ユーザが、「サービスＨ」に対応したアイコンＩをタッチ操作すると、表示装置１４には、図８（ａ）に示すような、フィードリーダのトピックス一覧の画面が表示される。ユーザが、ウェブサイトを登録したい場合には、表示装置１４の画面の右下の「フィード選択」を押下操作する。すると、図８（ｂ）に示すように、表示装置１４の画面が、登録済みフィードの一覧を示す画面に切替えられる。
【００３２】
この画面では、登録済みのフィード（ウェブサイト）のリストが表示される。ユーザは削除したいフィードがある場合には、該当するリストの削除のアイコンを操作する。新たに登録したいフィードがある場合には、「フィード登録」のアイコンを操作する。すると、図８（ｃ）に示すように、表示装置１４の画面が、ジャンル一覧の画面になり、ユーザは、この画面で所望のジャンルこの場合「ニュース」を選択操作すると、図８（ｄ）に示すように、表示装置１４の画面に、「ニュース」のフィード（ウェブサイト）の一覧が表示される。そこで、ユーザは、一覧から登録したいフィード（ウェブサイト）を選択操作すると、登録が行われる。
【００３３】
尚、図８（ｃ）に示すジャンル一覧の画面において、ユーザが、「手動登録リスト」を選択操作すると、表示装置１４の画面が、図８（ｅ）に示すような、手動登録のフィードリスト画面になり、ここでユーザが「フィードを追加」を操作すると、図８（ｆ）に示すような、ＵＲＬを手動入力するフィード追加画面になる。この画面において、ユーザは所望のウェブサイトのＵＲＬを手動入力することができ、これにより、そのウェブサイトを登録することができる。
【００３４】
また、図８（ａ）に示すトピックス一覧の画面において、ユーザが、いずれかのトピックス（ニュースの見出し）を選択した場合には、図８（ｇ）に示すように、表示装置１４には、選択されたニュース画面が表示される。このニュース画面では、パソコン用のコンテンツ（あるいはスマートフォン用のコンテンツ）がほぼそのまま表示されるので、見出し、本文、写真（図示せず）以外にも、フッタ、メニュー、リンク等の情報も含まれている。さらに、コンテンツが一画面に収まらないことが多く、記事全体を見るためには、画面をスクロールする必要がある。
【００３５】
図４のフローチャートは、連携アプリケーションの実行によりサービスを受ける場合の、ナビゲーション装置２（制御装置６）において行われる処理全体の大まかな流れを示している。本実施例では、ナビゲーション装置２が、スマートフォン３と連携してニュース配信のサービスを受けるためには、ユーザが所持しているスマートフォン３において連携アプリケーションを起動しておき、その状態で車両に乗り込むようにする。車両においてＡＣＣオン（あるいはナビゲーション装置２の電源オン）により処理が開始され、まずステップＳ１では、接続装置１０と、スマートフォン３の接続装置１９との間でＢＴ接続が行われる。
【００３６】
次のステップＳ２にて、サービスが開始される。サービスを開始するにあたっては、図５（ａ）に示すように、ナビゲーション装置２の表示装置７のメニュー画面において、ユーザはスマートフォン３と連携するアプリを選択（アイコンのタッチ操作）する。すると、表示装置７の画面は、図５（ｂ）に示すホーム画面に切替えられる。このホーム画面では、利用可能なアプリケーション（サービス）に対応したアイコンＩが配置され、ユーザは所望のサービスを選択操作する。尚、この場合の利用可能なサービスは、スマートフォン３で利用可能なサービス（図５（ｃ）参照）の全てではなく、車両で利用する点を考慮していくつか（８個）に選定されている。
【００３７】
ユーザは、このホーム画面で例えば、「サービスＨ」（ニュース配信サービス）のアイコンＩを選択操作することにより、サービスの利用が行われる（ステップＳ３）。このサービスの利用（ニュースコンテンツの提供）の詳細な処理手順については、次の図６の説明において述べる。ステップＳ４では、サービスの終了か（ユーザによる終了操作が行われたか）どうかが判断され、終了でない場合には（Ｎｏ）、サービスの利用（ステップＳ３）が継続され、終了と判断された場合には（Ｙｅｓ）、処理が終了する。
【００３８】
尚、上記のようなナビゲーション装置２及びスマートフォン３において連携アプリケーションが実行されている場合には、スマートフォン３の表示装置の画面は、ブラックアウト（トーンダウン）されており、操作はナビゲーション装置２の操作スイッチ部１２により行われる。また、車両の走行中には、ナビゲーション装置２の画面において、走行規制（安全性を考えて一部のボタンを操作不能とする）をかけるようにしても良い。
【００３９】
さて、図６の通信シーケンス図は、上記したニュースコンテンツの配信のサービスを受ける場合の、ナビゲーション装置２、スマートフォン３、中間サーバ４、外部サーバ５（コンテンツプロバイダ）の各装置で行われる処理及び通信の手順を示している。即ち、上記したナビゲーション装置２の表示装置７のホーム画面（図５（ｂ）参照）において、「サービスＨ」（ニュース配信サービス）のアイコンＩが選択操作される（ニュース起動）と、ステップＡ１にて、ナビゲーション装置２からスマートフォン３に対して、ニュース表示の要求がなされる。
【００４０】
すると、スマートフォン３においては、まずステップＢ１にて、登録されているウェブサイト（ニュースサイト）の設定の確認が行われ、次のステップＢ２にて、中間サーバ４に対して、登録されたニュースサイトの記事（ニュースコンテンツ）の取得要求のリクエストが送信される。
【００４１】
中間サーバ４では、スマートフォン３からニュースコンテンツ取得のリクエストを受けると、ステップＣ１にて、外部サーバ５に対し記事取得の要求を行う。外部サーバ５は、その要求を受けて、ステップＤ１にて、各ニュースサイトにおいて更新された記事（ニュースコンテンツ）を中間サーバ４に対して送信する。中間サーバ４では、ステップＣ２にて、そのニュースコンテンツを受信する。上記した、ステップＣ１、ステップＤ１、ステップＣ２の一連の処理は、設定登録されている複数のニュースサイトについて、夫々行われ、つまり、ニュースサイトの数だけ繰返される。
【００４２】
中間サーバ４におけるニュースコンテンツの受信が完了すると、ステップＣ３にて、取得した全てのニュースコンテンツが、スマートフォン３に対して送信される。尚、ステップＣ３にて送信するコンテンツの数は、表示するために必要な数だけで良い。また、このとき、ニュースサイトから得られるニュースコンテンツはパソコン用のものであるため、中間サーバ４において、スマートフォン３用のデータに変換することが行われる。或いは、ニュースサイトから得られるニュースコンテンツがスマートフォン３用の場合もあるが、どちらにしても、ナビゲーション装置２において表示する場合に、コンテンツの変換が必要になる。
【００４３】
スマートフォン３においては、ステップＢ３にて、中間サーバ４から更新されたニュースコンテンツを受信すると、次のステップＢ４にて、取得した各コンテンツから、見出し情報を抽出し、最新のものから順に並べることにより、記事一覧データを作成する。ステップＢ５では、得られたニュースコンテンツを、作成された記事一覧データと共に、ナビゲーション装置２に送信する。
【００４４】
ナビゲーション装置２においては、ステップＡ２にて、スマートフォン３からニュースコンテンツ及び記事一覧データを取得し、次のステップＡ３にて、得られた記事一覧データが表示装置７に表示される。図７（ａ）は、このときの表示装置７の記事一覧データの表示画面の一例を示している。ユーザ（乗員）は、その記事一覧の画面を見て、閲覧したいニュースコンテンツを選択することができる。この場合、例えば、記事一覧データにおける見出しの個数つまりニュースコンテンツの数は、表示装置７の一画面に収まる範囲（行数）の個数に制限される。
【００４５】
そして、ユーザ（乗員）が操作スイッチ部１２の選択操作により記事一覧データのうちいずれかの見出しを選択すると、ステップＡ４にて、選択された見出しのニュースコンテンツが整形され、ステップＡ５にて、整形されたニュースコンテンツが表示装置７に表示される。図７（ｂ）、（ｃ）には、記事一覧のうち最上段の見出しが選択された場合の表示装置７の表示画面（整形されたニュースコンテンツ）の例を示しており、図７（ｂ）には画像が存在しない場合を、図７（ｃ）には画像（写真）が存在する場合を夫々示している。尚、ニュースコンテンツに画像が含まれている場合でも、コンテンツ変換（整形）の際に画像を削除する構成としても良い。
【００４６】
このとき、コンテンツの整形は、例えば、コンテンツデータから、見出し、本文、画像のデータを残して、それ以外の不要部を削除するといった手法を採用することができる。また、コンテンツの整形にあたり、コンテンツに画像データが含まれる場合には、その画像データを表示装置７の所定エリアに収まるように加工（拡大、縮小、トリミング等）することができる。
【００４７】
尚、図示はしていないが、例えば車両が走行中である場合等においては、自動であるいはユーザの指示操作によって、記事一覧のうち選択されたニュースコンテンツ（本文）を、音声出力装置８の音声読み上げにより出力するように構成することもできる。また、ナビゲーション装置２、及び、スマートフォン３において、連携アプリケーションを起動させない（両者が接続していない）場合には、それらナビゲーション装置２及びスマートフォン３を、夫々独立して使用できることは勿論である。
【００４８】
このように本実施例によれば、ナビゲーション装置２とスマートフォン３との連携により、ナビゲーション装置２において、外部サーバ５からのコンテンツのサービスを受けることを可能としたシステム１にあって、ユーザは、スマートフォン３の操作に基づいて、コンテンツの提供を受けたいウェブサイトを設定登録することができる。この場合、ナビゲーション装置２の操作ではなく、スマートフォン３の操作により、走行中でない時期に、ユーザが予め設定登録しておくことができる。
【００４９】
そして、ナビゲーション装置２の操作によって、登録されたウェブサイト（ニュースサイト）のコンテンツを、スマートフォン３及び中間サーバ４を介して取得することができる。このとき、スマートフォン３において、取得した各コンテンツの見出し情報が抽出され、記事一覧データが作成される。その記事一覧データが、ナビゲーション装置２の表示装置７に表示されるようになる。ユーザは、コンテンツの記事一覧のデータを見て、見たいニュースコンテンツを選択することができ、記事一覧データのうちいずれかの見出しがユーザの操作スイッチ部１２の操作により選択されると、その選択された見出しのニュースコンテンツが整形された上で、表示装置７に表示されるようになる。
【００５０】
従って、本実施例によれば、ユーザは、表示装置７に表示されたコンテンツの記事一覧のデータを見て、そのなかから選択するという、簡単な操作で、見たいニュースコンテンツを選択することができ、車両走行中にユーザが煩雑な操作をすることなく済ませることができる。しかも、スマートフォン３で出力するコンテンツそのままでなく、コンテンツが整形されることによって、ユーザにとって見やすい表示が可能となるという優れた効果を得ることができる。
【００５１】
尚、上記実施例では、外部サーバのニュースサイトからニュース配信サービス（ニュースコンテンツ）の提供を受ける場合を具体例として説明したが、それ以外も、例えばブログの閲覧等のサービスを受ける場合に本発明を適用しても良い。また、上記実施例では、車載機器としてナビゲーション装置を具体例としたが、オーディオ装置等、表示部と操作部とを備えた車載機器であれば適用することができる。携帯通信端末としても、スマートフォンに限らず、通信機能付きの携帯型機器であれば、携帯電話機やタブレット端末等であっても良い。
【００５２】
上記実施例では、外部サーバから提供されるニュースコンテンツの変換を、中間サーバ４で行うようにしたが、スマートフォン３やナビゲーション装置２において実施しても良い。この場合、中間サーバを含まないシステム構成とすることも可能となる。また、ナビゲーション装置２のニュース表示要求と共に、表示デバイス（表示装置７）の種類や画面サイズ、音声読上げの有無などの情報を、スマートフォン３又は中間サーバ４に伝えることにより、コンテンツ変換の方法、例えば文字の大きさや表示量、画像の大きさ等を変更するように構成しても良い。
【００５３】
上記実施例では、一覧データ作成手段をスマートフォン３（携帯通信端末）に設けるようにしたが、中間サーバ４に設けるようにしても良い。スマートフォン３で登録されたウェブサイトの情報を中間サーバ４が管理（記憶）している構成としても良い。この場合、図６のフローチャートの、スマートフォン３から中間サーバ４に対する記事取得要求では（ステップＢ２）、送信元を判別する情報（ＩＤなど）と記事の取得要求を送信し、中間サーバ４側で、送信元と紐づいている設定情報（取得するニュースサイト）を参照して記事を取得する構成でも良い。
【００５４】
更に、本発明では、記事一覧データにおける見出しの個数つまりニュースコンテンツの数を絞る方法として、車載機器の表示部の一画面に収まる範囲（行数）の個数に制限するものに限らず、車載機器の表示装置のＮ画面分（例えば５画面分）としても良く、それ以外にも、特定の期間（例えば７日間）としたり、特定の数（例えば１００件）としたりしても良い。その他、本発明は上記し且つ図面に示した一実施例に限定されるものではなく、要旨を逸脱しない範囲内で適宜変更して実施し得るものである。
【符号の説明】
【００５５】
図面中、１は車両用コンテンツ提供システム、２はカーナビゲーション装置（車載機器）、３はスマートフォン（携帯通信端末）、４は中間サーバ、５は外部サーバ、６は制御装置（一覧データ表示手段、整形手段）、７は表示装置（表示部）、８は音声出力装置（音声出力手段）、１２は操作スイッチ部（操作部）、１３は制御装置（登録手段、コンテンツ取得手段、一覧データ作成手段）、１４は表示装置、１５は操作スイッチを示す。
【図１】
2014085798.tif 000003
【図２】
2014085798.tif 000004
【図３】
2014085798.tif 000005
【図４】
2014085798.tif 000006
【図５】
2014085798.tif 000007
【図６】
2014085798.tif 000008
【図７】
2014085798.tif 000009
【図８】
2014085798.tif 000010